(57)【特許請求の範囲】
【請求項１】
上面開口した容器本体と、この容器本体の上面開口を開閉する蓋体とを備えた容器であって、容器本体の開口周縁部には下方へ折曲げられたフランジが形成されており、蓋体の周縁部は上記容器本体のフランジよりも外方へ突出しており、容器本体のフランジ上面に蓋体の周縁部下面が当接するようになされており、上記蓋体の周縁部の突出部には挿通孔が形成されていてこの挿通孔に略逆Ｊ字形の蓋ロック棒が上下に移動自在で且つ回動自在に挿通され、蓋ロック棒の上端部は蓋体の周縁部上面に形成された蓋ロック棒の回り止め用穴又は突起の間にこれらの回り止め用穴又は突起の間から上方に離脱可能に挿入され、蓋ロック棒の下端部には蓋ロック棒に沿って抜け防止片が上下調節可能に取り付けられていると共に、この抜け防止片を上記フランジ折曲部の下端から下方に間隔を存して取り付けて、この間隔を上記回り止め用穴の深さ又は突起の高さよりも広く、或いは狭くなるように調節可能に構成していることを特徴とする容器の蓋ロック構造。
【請求項２】
上面開口した容器本体と、この容器本体の上面開口を開閉する蓋体とを備えた容器であって、容器本体の開口周縁部には下方へ折曲げられたフランジが形成されており、蓋体の周縁部は上記容器本体のフランジよりも外方へ突出しており、容器本体のフランジ上面に蓋体の周縁部下面が当接するようになされており、上記蓋体の周縁部の突出部には挿通孔が形成されていてこの挿通孔に略逆Ｌ字形の蓋ロック棒が上下に移動自在で且つ回動自在に挿通され、蓋ロック棒の上端部は蓋体の周縁部上面に形成された蓋ロック棒の回り止め用突起の間にこの回り止め用突起間から上方に離脱可能に挿入され、蓋ロック棒の下端部には蓋ロック棒に沿って抜け防止片が上下調節可能に取り付けられていると共に、この抜け防止片を上記フランジ折曲部の下端から下方に間隔を存して取り付けて、この間隔を上記回り止め用突起の高さよりも広く、或いは狭くなるように調節可能に構成していることを特徴とする容器の蓋ロック構造。
【請求項３】
蓋ロック棒の抜け防止片の上下調節は、蓋ロック棒に刻設されたネジと抜け防止片を締め付けるナットにより行われることを特徴とする請求項１又は２に記載の容器の蓋ロック構造。
【発明の詳細な説明】
【０００１】
【発明の属する技術分野】
本発明は、ごみ容器等の容器の蓋ロック構造に関する。
【０００２】
【従来の技術】
ごみ容器等の容器は、通常、上面開口した容器本体と、この容器本体の上面開口を開閉する蓋体とを備えている。なお、コンテナー型のごみ容器等の容器の場合は、一般に容器本体の底面にキャスターが回転自在に取り付けられている。その一例の全体正面図を図５に示す。
【０００３】
この種の容器、例えば、コンテナー型のごみ容器の蓋ロック構造として、蓋体の自由端側に、容器本体の上面開口周縁に形成されたフランジに係脱自在な係止片を有するストッパーを設けたプラスチック製の蓋ロック構造が知られている。そして、ストッパーの係止片の有する弾性を利用して蓋体のロックが行われる（例えば、特開平７−１６５３０２号公報参照）。
【０００４】
【発明が解決しようとする課題】
上記のような従来の容器の蓋ロック構造にあっては、蓋体の開閉を何度も繰り返していると、ストッパーの係止片の弾性が弱くなって係止片が完全に戻りきらなくなり、そのため、蓋のロックが弱くなって、これに強い衝撃がかかった場合などに自然にロックが外れることがある。
【０００５】
また、上記ストッパーは、リベット止めにより蓋体に取り付けられており、その取り付けに専用工具が必要で手間もかかる。さらに、容器本体と蓋体との寸法が多少異なっている場合は、ストッパーの係止片が容器本体のフランジにうまく係止されないことがある。
【０００６】
本発明は、上記の問題を解決するためになされたもので、ロックの取り付け及び蓋体の開閉操作が簡単で、しかも蓋体の開閉を何度も繰り返してもロックが弱くなることがない、容器の蓋ロック構造を提供することを目的とする。
【０００７】
【課題を解決するための手段】
上記目的を達成するために、請求項１の発明では、上面開口した容器本体と、この容器本体の上面開口を開閉する蓋体とを備えた容器であって、容器本体の開口周縁部には下方へ折曲げられたフランジが形成されており、蓋体の周縁部は上記容器本体のフランジよりも外方へ突出しており、容器本体のフランジ上面に蓋体の周縁部下面が当接するようになされており、上記蓋体の周縁部の突出部には挿通孔が形成されていてこの挿通孔に略逆Ｊ字形の蓋ロック棒が上下に移動自在で且つ回動自在に挿通され、蓋ロック棒の上端部は蓋体の周縁部上面に形成された蓋ロック棒の回り止め用穴又は突起の間にこれらの回り止め用穴又は突起の間から上方に離脱可能に挿入され、蓋ロック棒の下端部には蓋ロック棒に沿って抜け防止片が上下調節可能に取り付けられていると共に、この抜け防止片を上記フランジ折曲部の下端から下方に間隔を存して取り付けて、この間隔を上記回り止め用穴の深さ又は突起の高さよりも広く、或いは狭くなるように調節可能に構成していることを特徴とする容器の蓋ロック構造が提供される。
【０００８】
また、請求項２の発明では、上面開口した容器本体と、この容器本体の上面開口を開閉する蓋体とを備えた容器であって、容器本体の開口周縁部には下方へ折曲げられたフランジが形成されており、蓋体の周縁部は上記容器本体のフランジよりも外方へ突出しており、容器本体のフランジ上面に蓋体の周縁部下面が当接するようになされており、上記蓋体の周縁部の突出部には挿通孔が形成されていてこの挿通孔に略逆Ｌ字形の蓋ロック棒が上下に移動自在で且つ回動自在に挿通され、蓋ロック棒の上端部は蓋体の周縁部上面に形成された蓋ロック棒の回り止め用突起の間にこの回り止め用突起間から上方に離脱可能に挿入され、蓋ロック棒の下端部には蓋ロック棒に沿って抜け防止片が上下調節可能に取り付けられていると共に、この抜け防止片を上記フランジ折曲部の下端から下方に間隔を存して取り付けて、この間隔を上記回り止め用突起の高さよりも広く、或いは狭くなるように調節可能に構成していることを特徴とする容器の蓋ロック構造が提供される。
【０００９】
さらに、請求項３の発明では、蓋ロック棒の抜け防止片の上下調節は、蓋ロック棒に刻設されたネジと抜け防止片を締めつけるナットにより行われることを特徴とする。
【００１０】
【作用】
請求項１の発明の容器の蓋ロック構造によれば、略逆Ｊ字形の蓋ロック棒の上端部が蓋体に形成された蓋ロック棒の回り止め用穴又は突起の間に挿入されることにより、蓋体の周縁部が容器本体のフランジにロックされる。
【００１１】
蓋体を開ける際には、蓋ロック棒をやや上方に引き上げるとともに回動させることにより、蓋ロック棒の回り止め用穴又は突起の間から蓋ロック棒の上端部が外れて簡単にロックが解除される。なお、抜け防止片は、蓋ロック棒が蓋体から抜け出るのを防止し、確実にロックを行う。
【００１２】
また、請求項２の発明の容器の蓋ロック構造によれば、略逆Ｌ字形の蓋ロック棒の上端部が蓋体に形成された蓋ロック棒の回り止め用突起の間に挿入されることにより、蓋体の周縁部が容器本体のフランジにロックされる。
【００１３】
蓋体を開ける際には、蓋ロック棒をやや上方に引き上げるとともに回動させることにより、蓋ロック棒の回り止め用突起の間から蓋ロック棒の上端部が外れて簡単にロックが解除される。なお、抜け防止片は、蓋ロック棒が蓋体から抜け出るのを防止し、確実にロックを行う。
【００１４】
さらに、請求項１及び２の発明の容器の蓋ロック構造によれば、抜け防止片を蓋ロック棒に沿って上方に移動させて、容器本体のフランジ折曲部の下端と抜け防止片との間隔を狭く調節すると、蓋ロック棒の上方への引き上げが制限されて回り止め用穴又は突起の間から蓋ロック棒の上端部が離れなくなり、ロックを一時的に解除できなくすることができる。そして、蓋体を開ける際には、抜け防止片を蓋ロック棒に沿って下方へ移動させれば、簡単にロックが解除される。
【００１５】
【発明の実施の形態】
以下、図面に示された実施例を参照しながら、本発明を詳細に説明する。
【００１６】
まず、請求項１の発明に係る容器の蓋ロック構造について説明する。
図１は請求項１の発明に係る容器の蓋ロック構造の一例を示す一部切欠断面図であって、（Ａ）はロック状態を示し、（Ｂ）及び（Ｃ）はロックを解除する過程を示す。図２は図１に示す蓋ロック棒及び抜け防止片の斜視図である。図３は請求項１の発明に係る容器の蓋ロック構造の他の例を示す一部切欠断面図である。
【００１７】
図１の（Ａ）において、１０は上面開口した容器本体、２０は容器本体１０の上面開口を開閉する蓋体であって、この容器本体１０と蓋体２０によりコンテナー型のごみ容器が構成されている。図１ではその要部のみを示し、容器本体１０と蓋体２０とは部分的に示されている。そして、図５に示すように、容器本体１０の底面にはキャスター６０が回転自在に取り付けられている。なお、７０は塵芥収集車へごみを排出するために使用する枢支軸である。このごみ容器は、一般に、ポリエチレンから成形されているが、その他のプラスチック製や金属製であってもよい。
【００１８】
また、コンテナー型のごみ容器のみならず、その他の各種容器であってもよい。蓋体２０は、図５に示すように、中央部を中心として両側開きの蓋体に限らず、蓋体２０の周縁部の一部をステーを用いて容器本体１０の開口周縁部の一部に嵌め込んで取り付けた片開きの蓋体であってもよい。
【００１９】
上記容器本体１０の開口周縁部には下方へ折曲げられたフランジ１１が形成されている。また、上記蓋体２０の周縁部２１は上記容器本体１０のフランジ１１よりも外方へ突出しており、２１ａはその突出部であって厚肉に形成されているる。そして、容器本体１０のフランジ１１の上面に、蓋体２０の周縁部２１の下面が当接するようになされている。
【００２０】
また、上記蓋体２０の周縁部２１の突出部２１ａには挿通孔が形成され、この挿通孔に略逆Ｊ字形の蓋ロック棒３０が上下に挿通されている。この蓋ロック棒３０は、上記挿通孔を上下に移動自在で且つ棒軸を中心に回動自在である。このような蓋ロック棒３０は、一般に、金属からなるものが強度の点で好適であるが、ＡＢＳ樹脂やポリカーボネートのような強度に優れたプラスチックも使用できる。
【００２１】
そして、略逆Ｊ字形の蓋ロック棒３０の上端部３１は、蓋体２０の周縁部２１の上面に突出して形成された回り止め用穴２２に挿入されている。回り止め用穴２２は、蓋体２０の周縁部２１の上面に突出して形成することなく、図３に示すように、蓋体２０の周縁部２１を比較的厚肉に形成し、この厚肉の周縁部２１に凹状に回り止め用穴２２ａを形成してもよい。
【００２２】
また、上記のような回り止め用穴２２に限らず、蓋体２０の周縁部２１の上面に二つの突起を相対して設け、この突起の間に蓋ロック棒３０の上端部３１が挿入されるようにしてもよい。なお、蓋体２０の周縁部２１の上面にリブ状の突起が形成されている場合は、このリブ状の突起を上記二つの突起のうちの一方の突起として利用することができる。
【００２３】
さらに、略逆Ｊ字形の蓋ロック棒３０の下端部３２には、容器本体１０のフランジ折曲部１１の下端から一定の間隔ｂを保持して、上記蓋ロック棒３０の抜け防止片４０が略水平に取り付けられている。この場合、図のように蓋ロック棒３０の下端部３２にネジを刻設しておき、上下二つのナット３３により抜け防止片４０を締め付け、蓋ロック棒３０をネジに沿って上下に調節可能に取り付けるのが、特別な工具を必要とせず簡単かつ確実に上下に調節できるので好ましい。
【００２４】
上記抜け防止片４０は、蓋ロック棒３０が蓋体２０の周縁部２１の突出部２１ａに形成された挿通孔から抜けないようにするとともに、容器本体１０と蓋体２０との寸法が多少異なっている場合であっても、蓋ロック棒３０が蓋体２０に形成された蓋ロック棒３０の回り止め用穴２２又は突起の間にうまく挿入され、確実にロックすることができる。
【００２５】
ここで、容器本体１０のフランジ折曲部１１の下端から抜け防止片４０までの間隔ｂは、蓋体２０の周縁部２１の上面に形成された回り止め用穴２２又は突起の高さ又は深さをａとした場合に、通常はａ＜ｂとされる。なお、ａの値は一般に５〜１０ｍｍとされるが、これに限定されない。
【００２６】
特に、ａ＞ｂとすると、蓋ロック棒３０の上方への引き上げが制限されて回り止め用穴２２又は突起の間から蓋ロック棒３０の上端部３１が離れなくなり、ロックを一時的に簡単に解除できなくすることができる。そして、蓋体２０を開ける際には、二つのナット３３を緩めて抜け防止片４０を蓋ロック棒３０に沿って下方へ移動させれば、簡単にロックが解除される。
【００２７】
こうして、請求項１の発明に係る容器の蓋ロック構造が得られる。図１の（Ａ）のロック状態からロックを解除するには、図１の（Ｂ）に示すように、蓋ロック棒３０の上部を手で上方で引き上げる。すると、蓋ロック棒３０の上端部３１が、蓋体２０の周縁部２１の回り止め用穴２２から外れる。引き続いて、図１の（Ｃ）に示すように、蓋ロック棒３０を棒軸を中心に回動させると、簡単にロックが解除され、蓋体２０を開くことができる。
【００２８】
次に、請求項２の発明に係る容器の蓋ロック構造について説明する。
図４は請求項２の発明に係る容器の蓋ロック構造の一例を示す一部切欠断面図である。図４において、１０は上面開口した容器本体、２０は容器本体１０の上面開口を開閉する蓋体である。２１は蓋体２０の開口周縁部、２１ａは蓋体２０の周縁部２１の突出部である。１１は容器本体１０のフランジ折曲部である。これ等は図１に示す容器の蓋ロック構造と同様である。
【００２９】
この容器の蓋ロック構造では、図１に示す容器の蓋ロック構造において、特に、略逆Ｊ字形の蓋ロック棒３０に代えて、略逆Ｌ字形の蓋ロック棒５０を用い、且つ回り止め用穴２２に代えて、蓋体２０の周縁部２１の上面に二つの突起２２ｂ（片方の突起２２ｂのみが図示されている）を設け、この二つの突起２２ｂの間に略逆Ｌ字形の蓋ロック棒５０の上端部５２が挿入されている。
【００３０】
上記蓋ロック棒５０には把持棒５３が突設されており、この把持棒５３を手に持って引き上げるようになされているが、把持棒５３を設けることなく、略逆Ｌ字形の蓋ロック棒５０の上部を手で上方で引き上げるようにしてもよい。そして、蓋ロック棒５０の下端部５２には、蓋ロック棒５０の抜け防止片４０が図１と同様にして取り付けられている。
【００３１】
こうして、請求項２の発明に係る容器の蓋ロック構造が得られる。図４のロック状態からロックを解除するには、図１で説明したと同様に、略逆Ｌ字形の蓋ロック棒５０の把持棒５３又は上部を手で上方で引き上げる。すると、蓋ロック棒５０の上端部５１が、蓋体２０の周縁部２１の回り止め用突起２２ｂの間から外れる。引き続いて、蓋ロック棒５０を棒軸を中心に回動させると簡単にロックが解除され、蓋体２０を開くことができる。
【００３２】
【発明の効果】
上述のとおり、本発明の容器の蓋ロック構造によれば、ロックの取り付け及び蓋体の開閉操作が簡単で、しかも蓋体の開閉を何度も繰り返してもロックが弱くなることがない。また、容器本体と蓋体との寸法が多少異なっている場合でも、蓋ロック棒が蓋体に形成された蓋ロック棒の回り止め用穴又は突起の間にうまく挿入され、確実にロックすることができる。
【図面の簡単な説明】
【図１】請求項１の発明に係る容器の蓋ロック構造の一例を示す一部切欠断面図であって、（Ａ）はロック状態を示し、（Ｂ）及び（Ｃ）はロックを解除する過程を示す。
【図２】図１に示す蓋ロック棒及び抜け防止片の斜視図である。
【図３】請求項１の発明に係る容器の蓋ロック構造の他の例を示す一部切欠断面図である。
【図４】請求項２の発明に係る容器の蓋ロック構造の一例を示す一部切欠断面図である。
【図５】請求項１及び２の発明に用いた容器の全体正面図である。
【符号の説明】
１０    容器本体
１１    フランジ折曲部
２０    蓋体
２１    蓋体の周縁部
２１ａ  蓋体の周縁部の突出部
２２    穴又は突起
２２ｂ  突起
３０    略Ｊ字型の蓋ロック棒
３１    蓋ロック棒の上端部
３２    蓋ロック棒の下端部
４０    蓋ロック棒の抜け防止片
５０    略Ｌ字型の蓋ロック棒
５１    蓋ロック棒の上端部
５２    蓋ロック棒の下端部
４０    蓋ロック棒の抜け防止片
【図１】
0004286395.tif 000002
【図２】
0004286395.tif 000003
【図３】
0004286395.tif 000004
【図４】
0004286395.tif 000005
【図５】
0004286395.tif 000006